(57)【要約】【課題】電子聴診器について、通常の聴診と電子的な聴診の両方で実用的な使用を可能としながら一層利便性に優れたものとする。【解決手段】チェストピース１０・ゴム管３０・耳管４０・イヤーピース５０ａ，５０ｂに加え音声を電気信号に変換するマイクロフォン１００を備えており、チェストピース１０で検出した聴診音をマイクロフォン１００で電気信号に変換し、これを聴診音または聴診音の波形図として再生する再生手段に送信することで電子的な聴診を行わせる電子聴診器１Ａであって、チェストピース１０からイヤーピース５０ａ，５０ｂに至る空気伝達経路を連通させることで通常の聴診を実施可能な状態となり、スイッチ体２１の回動で通常の聴診を行う状態と電子的な聴診を行う状態が切り替え可能とされ、通常の聴診状態から電子的な聴診状態へ切り替える操作で空気伝達経路の一部が分断または遮断されるものとした。【選択図】図１
2015006232.tif 000002
【特許請求の範囲】
【請求項１】
チェストピース・ゴム管・耳管・イヤーピースに加えて音声を電気信号に変換する変換手段を備えており、前記チェストピースで検出した聴診音を前記変換手段で電気信号に変換し、該電気信号を聴診音または聴診音の波形図として再生する所定の再生手段に送信することにより電子的な聴診を行わせる電子聴診器において、
前記チェストピースから前記ゴム管・耳管を経て前記イヤーピースに至る空気振動を伝える空気伝達経路を連通させることで通常の聴診を実施可能な状態となり、且つ、前記通常の聴診を実施可能な状態と前記電子的な聴診を実施可能な状態との間で切り替え操作が可能なものとされており、前記通常の聴診を実施可能な状態から前記電子的な聴診を実施可能な状態に切り替える操作により、前記空気伝達経路の一部が分断または遮断される、ことを特徴とした電子聴診器。
【請求項２】
前記変換手段は、前記チェストピースに内装されたマイクロフォンであり、該マイクロフォンから延設された配線が前記ゴム管の途中又は基端側に配置した前記再生手段としてのスピーカに接続されており、所定の切り替え手段を操作して前記電子的な聴診を実施可能な状態に切り替えることで、前記スピーカの手前で前記空気伝達通路が遮断されるとともに前記スピーカで聴診音を再生するものとして、該スピーカから前記イヤーピースに至る前記空気伝達経路を介して再生した聴診音を使用者の耳に到達させる状態となり、この状態から前記通常の聴診を実施可能な状態に切り替えることにより、前記遮断が解除されて前記チェストピースからイヤーピースに至る空気伝達経路が連通した状態となる、ことを特徴とする請求項１に記載した電子聴診器。
【請求項３】
前記切り替え手段は、外周面の所定位置からその中心軸線を直角方向に貫通しながら反対側まで貫通した連通孔を備えている円柱状部材が、所定のケーシング内で軸周りに回動可能な状態で軸支されて前記空気伝達経路の途中に介装されてなるものであり、該円柱状部材を外部から回動操作することにより、前記空気伝達経路と前記連通孔の中心線が一致して前記空気伝達経路を総て連通させる角度位置と、前記空気伝達経路を前記外周面で塞いで遮断する角度位置との間で切り替え可能なものとされ、且つ、前記外周面の所定位置には出力面を外側にして前記スピーカが埋設されており、前記電子的な聴診を実施可能な状態では、前記空気伝達経路の耳管側に連通する開口端に前記スピーカの出力面が一致して、該スピーカから前記イヤーピースに至る前記空気伝達経路が連通した状態となる、ことを特徴とする請求項２に記載した電子聴診器。
【請求項４】
前記チェストピース・前記ゴム管・前記スピーカ・前記切り替え手段を有したケーシングからなる部分と前記耳管・前記イヤーピースからなる部分が互いに分離可能で着脱操作が可能なものとされ、且つ、前記ケーシングには無線送信手段が配設されており、前記電気信号を無線信号に変換しながら無線受信手段を併設した所定の再生手段に送信可能とされている、ことを特徴とする請求項２または３に記載した電子聴診器。
【請求項５】
前記変換手段は、所定の位置に併設した送信機に内装または接続してなるマイクロフォンであり、前記電子的な聴診の際に、前記ゴム管の基端側が前記送信機の接続口または前記マイクロフォンを有した部分の接続口に接続されるものとして、前記チェストピースで検出した聴診音が、前記ゴム管による前記空気伝達経路で前記マイクロフォンまで到達して電気信号に変換されるとともに、送信機に内装した無線送信手段で無線信号に変換されて無線受信手段を併設した所定の再生手段に送信され、前記通常の聴診の際には、前記ゴム管の基端側が前記耳管の先端側所定位置に開口した接続口に接続されて前記チェストピースからゴム管を介して耳管・イヤーピースに至る前記空気伝達経路が連通する、ことを特徴とする請求項１に記載した電子聴診器。
【請求項６】
前記耳管がアーチ状とされ前記イヤーピースがクローズ型ヘッドフォン状とされてこれらでオーバーヘッド式のヘッドフォン部を構成し、前記チェストピース・前記ゴム管・前記送信機からなる部分が、前記アーチ状の耳管の外周側に内周側を密着して装着されるアーチ状の弾性部材の外周側に配置されて患者に装着させるための装着部を構成しており、前記ヘッドフォン部と前記装着部とが互いに分離可能で着脱操作が可能なものとされ、前記装着部は、前記分離した状態でアーチ状の弾性部材の内周側所定位置に検出面が内側に向くように前記チェストピースを配置しながら前記内周側で患者の胴体を挟むことにより、患者の身体に対する前記チェストピースの装着・固定手段として機能する、ことを特徴とする請求項５に記載した電子聴診器。
【請求項７】
前記イヤーピースは、前記再生手段としてのスピーカ及び無線受信手段を備えており、前記分離した状態で前記送信機により送信された前記無線信号を受信しながら聴診音を再生可能なものとされている、ことを特徴とする請求項６に記載した電子聴診器。
【発明の詳細な説明】
【技術分野】
【０００１】
本発明は、チェストピースで検出した聴診音を電気信号に変換して再生手段で再生させる電子聴診器に関し、殊に、電子的な音声による聴診機能に加え通常の音声による聴診機能を備えた電子聴診器に関する。
【背景技術】
【０００２】
聴診音を電気信号に変換して再生する電子聴診器としては、チェストピースに設けた変換手段で聴診音を電気信号に変換して再生手段に送信する方式が、特表平８−５０６４９５号公報に記載されているように周知である。この電子聴診器では、チェストピース内にマイクロフォンを備え、これから延設したコードがゴム管内を通り所定位置に配置したコネクタに連結されており、このコネクタに接続したスピーカで聴診音を再生する方式を採用しており、その電子聴診器自体もチェストピースからイヤーピースに至る空気伝達経路を介した通常の音声による聴診を行えるものとしている。
【０００３】
また、特開平８−８４７２８号公報にも記載されているように、チェストピース内のマイクロフォンで変換した電気信号を、耳管・イヤーピースの代わりに設けたイヤホンやヘッドフォンで聴診音を再生しながら聴診を実施する方式の電子聴診器も普及しており、聞き取りにくい聴診音を大きくしたり雑音を電子的にカットしたりして高い診断精度を実現しようとしている。
【０００４】
しかし、前者の電子聴診器において、それ自体で聴くことができるのは空気伝達経路を介した通常の聴診音だけであり、後者の電子聴診器自体で聴けるのは再生手段を介した電子的な聴診音のみであり、どちらもそれ自体で通常の聴診音と電子的な聴診音の両方を聴く機能を有しておらず、そのいずれか聞きやすい方を適宜選択することができない。
【０００５】
これは、通常の聴診器においてチェストピースにマイクロフォン、イヤーピースにスピーカを追加した場合は、電子的な聴診音を聞く際に空気伝達経路を介した通常の聴診音も重なってしまい、かえって聴きにくくなるためと推察される。また、後者のように電子聴診音のみ聴ける電子聴診器にあっては、そのバッテリが切れた場合に聴診を継続できなくなるという難点もある。したがって、通常の聴診音と電子的な聴診音を適宜切り替えて聴くことができれば、実用性・利便性に優れたものとなる。
【０００６】
一方、特開２００１−３０９９１６号公報にも記載されているように、電子聴診器で取得した聴診音の電気信号を、これから離れた場所の端末に無線送信することにより、遠隔的に診断を行ったり聴診音を記憶手段に記録させたり、或いは複数人で同時に診断させる等、新たな機能を追加した電子聴診器も普及している。
【０００７】
しかしながら、このように複数の機能を付加した場合でも、患者の身体に対し適切な状態でチェストピースを当てながら聴診を行うためには、聴診の際に１人の患者に対し１人の人員を配置することが必要であることは従来通りである。そこで特開２００１−５０５０８５号公報にも記載されているように、患者の身体に音声検出手段を密着させた状態で保持させるバンド状部材を用いることが提案されているが、これを患者に装着する作業自体が面倒であり、また患者の身体に触れた部分を毎回消毒するのにも多大な手間を要するため、利便性の改善において未だ不十分と言わざるを得ない。
【先行技術文献】
【特許文献】
【０００８】
【特許文献１】特表平８−５０６４９５号公報
【特許文献２】特開平８−８４７２８号公報
【特許文献３】特開２００１−３０９９１６号公報
【特許文献４】特開２００１−５０５０８５号公報
【発明の概要】
【発明が解決しようとする課題】
【０００９】
本発明は、上記のような問題を解決しようとするものであり、電子聴診器について、通常の聴診と電子的な聴診の両方で実用的な使用を可能としながら一層利便性に優れたものとすることを課題とする。
【課題を解決するための手段】
【００１０】
そこで、本発明は、チェストピース・ゴム管・耳管・イヤーピースに加えて音声を電気信号に変換する変換手段を備えており、チェストピースで検出した聴診音を変換手段で電気信号に変換し、これを聴診音または聴診音の波形図として再生する所定の再生手段に送信することにより電子的な聴診を行わせる電子聴診器において、そのチェストピースからゴム管・耳管を経てイヤーピースに至る空気振動を伝える空気伝達経路を連通させることで通常の聴診を実施可能な状態となり、且つ、通常の聴診を実施可能な状態と電子的な聴診を実施可能な状態との間で切り替え操作が可能なものとされており、通常の聴診を実施可能な状態から電子的な聴診を実施可能な状態に切り替える操作により、前記空気伝達経路の一部が分断または遮断されることを特徴とするものとした。
【００１１】
このように、通常の聴診器と同様にチェストピース・ゴム管・耳管・イヤーピースを備えて通常の聴診を実施可能としながら、この状態と電子的な聴診を行う状態との間で切り替え操作を可能なものとしながら、電子的な聴診に切り替える操作に連動して、通常の聴診に使用する空気伝達経路が分断又は遮断される構成としたことにより、電子的な聴診の際に通常の聴診音が混在してしまうことを回避できるようになる。
【００１２】
また、この電子聴診器において、その変換手段はチェストピースに内装されたマイクロフォンであり、このマイクロフォンから延設された配線がゴム管の途中又は基端側に配置した再生手段としてのスピーカに接続されており、所定の切り替え手段を操作して電子的な聴診を実施可能な状態に切り替えることで、スピーカの手前で空気伝達通路が遮断されるとともにこのスピーカで聴診音を再生するものとして、このスピーカからイヤーピースに至る空気伝達経路を介して再生した聴診音を使用者の耳に到達させる状態となり、この状態から通常の聴診を実施可能な状態に切り替えることにより、前記遮断が解除されてチェストピースからイヤーピースに至る空気伝達経路が連通した状態となることを特徴としたものとすれば、使用者が切り替え手段を操作するだけで、通常の聴診と電子的な聴診とが切り替えられるとともに、電子的な聴診の際にチェストピースからの空気伝達経路を確実に遮断することができる。
【００１３】
この場合、その切り替え手段は、外周面の所定位置からその中心軸線を直角方向に貫通しながら反対側まで貫通した連通孔を備えている円柱状部材が、所定のケーシング内でその軸周りに回動可能な状態で軸支されて空気伝達経路の途中に介装されてなるものであり、その円柱状部材を外部から回動操作することにより、空気伝達経路と前記連通孔の中心線が一致して空気伝達経路を総て連通させる角度位置と、空気伝達経路の途中を前記外周面で塞いで遮断する角度位置との間で切り替え可能なものとされ、且つ、その外周面の所定位置には出力面を外側にして前記スピーカが埋設されており、電子的な聴診を実施可能な状態では、空気伝達経路の耳管側に連通する開口端にスピーカの出力面が一致して、このスピーカからイヤーピースに至る空気伝達経路が連通した状態となる、ことを特徴としたものとすれば、簡易な構成による切り替え手段を用いながら、電子的な聴診に切り替える操作に連動して通常の聴診に使用する空気伝達経路が確実に遮断されるものとなる。
【００１４】
さらに、上述したチェストピースにマイクロフォンを内装した電子聴診器において、チェストピース・ゴム管・スピーカ・切り替え手段を有したケーシングからなる部分と耳管・イヤーピースからなる部分が互いに分離可能で着脱操作が可能なものとされ、且つ、前記ケーシングには無線送信手段が配設されており、前記電気信号を無線信号に変換しながら無線受信手段を併設した所定の再生手段に送信可能とされている、ことを特徴としたものとすれば、切り替え手段の手前側で耳管側の部分を取り外してコンパクトな状態にしながら、チェストピースで検出した聴診音をパソコンや携帯端末等の再生手段に無線送信することができ、離れた位置でも電子的な聴診を実施可能なものとなる。
【００１５】
或いは、請求項１に記載した電子聴診器において、その変換手段は、所定の位置に併設した送信機に内装または接続してなるマイクロフォンであり、電子的な聴診の際に、ゴム管基端側が前記送信機の接続口またはマイクロフォンを有した部分の接続口に接続されるものとして、そのチェストピースで検出した聴診音が、ゴム管による空気伝達経路でマイクロフォンまで到達して電気信号に変換されるとともに、送信機に内装した無線送信手段で無線信号に変換されて無線受信手段を併設した所定の再生手段に送信され、通常の聴診の際には、ゴム管基端側が耳管の先端側所定位置に開口した接続口に接続されてチェストピースからゴム管を介して耳管・イヤーピースに至る空気伝達経路が連通する、ことを特徴としたものとすれば、ゴム管の基端側を脱抜しその接続先を替えるだけで、通常の聴診と電子的な聴診との間で容易に切り替えられるものとなる。
【００１６】
この場合、その耳管がアーチ状とされイヤーピースがクローズ型ヘッドフォン状とされてこれらでオーバーヘッド式のヘッドフォン部を構成し、チェストピース・ゴム管・送信機からなる部分が、前記アーチ状の耳管の外周側に内周側を密着して装着されるアーチ状の弾性部材の外周側に固定されて患者に装着させるための装着部を構成しており、これらが互いに分離可能で着脱操作が可能なものとされ、その装着部は、前記分離した状態でアーチ状の弾性部材の内周側所定位置に検出面が内側に向くようにチェストピースを配置しながらその内周側で患者の胴体を挟むことにより、患者の身体に対するチェストピースの固定手段として機能する、ことを特徴としたものとすれば、送信機を備えたアーチ状の弾性部材を用いてチェストピースを患者の目的位置に容易に固定できるため、その後はチェストピースを保持する人員を要することなく、送信先の端末による再生手段で聴診音を再生しながら電子的な聴診を実施できるものとなる。
【００１７】
さらにまた、このアーチ状の弾性部材を備えた電子聴診器において、そのクローズ型ヘッドフォン状のイヤーピースは、前記再生手段としてのスピーカ及び無線受信手段を備えており、前記分離した状態で前記送信機により送信された無線信号を受信しながら聴診音を再生可能とされている、ことを特徴としたものとすれば、この電子聴診器１台を用いるだけで患者に対しチェストピースを固定しながら離れた位置で電子的な聴診を実施できるようになる。
【発明の効果】
【００１８】
通常の聴診から電子的な聴診に切り替える際に、通常の聴診に使用する空気伝達経路が分断又は遮断されるものとした本発明によると、通常の聴診と電子的な聴診の両方で実用的な使用を可能としながら、一層利便性に優れたものとすることができる。
【図面の簡単な説明】
【００１９】
【図１】（Ａ）は本発明における第１の実施の形態の正面図、（Ｂ）は（Ａ）を部分的に拡大した縦断面図である。
【図２】（Ａ）は図１（Ｂ）の電子聴診器の通常の聴診を実施可能な状態にした場合の縦断面図、（Ｂ）は（Ａ）を電子的な聴診を実施可能な状態に切り替えた場合の縦断面図、（Ｃ）は（Ａ）を無線送信する状態に切り替えた場合の縦断面図である。
【図３】（Ａ）は、図１（Ａ）の電子聴診器を各種端末に無線送信している状態を示す模式的な正面図、（Ｂ）は（Ａ）の電子聴診器の耳管から上の部分を外した状態を示す部分正面図である。
【図４】図３（Ｂ）の分離した電子聴診器の一方の部分と組み合わせて用いる固定用具の斜視図、（Ｂ）は（Ａ）の固定用具と前記一方の部分を組み合わせた状態で各種端末に無線送信している状態を示す模式的な斜視図である。
【図５】（Ａ）は本発明における第２の実施の形態の正面図、（Ｂ）は（Ａ）の側面図である。
【図６】（Ａ）は図５（Ａ）の状態からヘッドフォン部と装着部を分離した状態を示す正面図、（Ｂ）は（Ａ）の側面図である。
【図７】図６（Ａ）の装着部の機能を説明するための正面図、（Ｂ）は（Ａ）の側面図である。
【図８】図７（Ａ）の装着部を患者に固定しながら各種端末及びヘッドフォン分に無線送信している状態を示す模式的な正面図である。
【図９】図５（Ａ）の電子聴診器を通常の聴診を実施可能な状態にした正面図である。
【図１０】（Ａ）は図５の電子聴診器の応用例を示す正面図、（Ｂ）は図５の電子聴診器の他の応用例を示す正面図である。
【図１１】（Ａ）は図５の電子聴診器におけるチェストピース及びゴム管の応用例を示す拡大した縦断面図、（Ｂ）は（Ａ）の変形例を示す拡大した縦断面図である。
【図１２】（Ａ）は図６のヘッドフォン部の応用例を示す側面図、（Ｂ）は（Ａ）のヘッドフォン部のアルコール浸潤部を覆うカバーを設けた場合を示す正面図である。
【発明を実施するための形態】
【００２０】
以下に、図面を参照しながら本発明を実施するための形態を説明する。尚、本発明においては、電子聴診器の耳管には、左右の耳に適用する対の管状部材のほか、これらを先端側で連結しているＵ字状の管状部材も含まれるものとする。また、パソコンはパーソナルコンピュータの略であるが、これにはタブレット端末呼ばれるものも含まれる。
【００２１】
図１（Ａ）は、本実施における第１の形態である電子聴診器１Ａを示しており、図（Ｂ）はその中央部分の拡大した縦断面図を示している。この電子聴診器１Ａは、チェストピース１０、直管状のゴム管３０、Ｕ字状でバネ材を内装した軟質の管体４１とＬ字状で硬質の管体４２，４３からなる耳管４０、イヤーピース５０ａ，５０ｂを備え、チェストピース１０からイヤーピース５０ａ，５０ｂに至る空気伝達経路が内部で連通するように形成されており、通常の聴診を実施可能なものとされている。そのため、通常の聴診器とほぼ同様の形態を有しており、注意して見ないと電子聴診器とは気付きにくくなっている。
【００２２】
そのチェストピース１０は、検出面側に図示しないダイヤフラムを張設してあり、その内側空間がゴム管３０の内腔側に連通しているが、その内側空間の所定位置には、音声を電気信号に変換する変換手段としてのマイクロフォン１００が配設されており、図１（Ｂ）に示すようにダイヤフラムを介して検出した聴診音を、電気信号に変換しながらマイクロフォン１００から延設した配線３１でゴム管３０の内腔部３０ａを通りゴム管３０基端側を嵌装したケーシング２０まで送信するようになっている。
【００２３】
そのケーシング２０は、通常の聴診器においてゴム管の基端側がＹ字状に分岐している部分を模した外観に形成してなる逆三角形状で薄型の箱状部材であり、その内部には下方から挿入したゴム管３０基端側が固定されており、その上面側は耳管４０におけるＵ字状の管体４１下面側に密着する形状とされその中央位置で開口した連結孔２７に、管体４１から垂設した連結管４４が嵌入されて耳管４０側と連結している。
【００２４】
このケーシング２０には、電源としてのバッテリ２６が収装されているとともに、これから延設した図示しない電源線を接続した基板２２が収装されている。また、この基板２２には、前述したマイクロフォン１００からの配線３１が接続されているとともに、図示しない増幅部品や低音用・高音用の切り替え部品２４、音量調整部品２５、無線送信部品２３等の各種電子部品が配設されている。
【００２５】
そして、本実施の形態においては、このケーシング２０のほぼ中央位置に、外周面の所定位置からその中心軸線を直角方向に貫通しながら反対側に貫通してなる連通孔２１ａを備えた円柱状の部材であるスイッチ体２１が、その軸周りに回動可能な状態で軸支されながら、ゴム管３０の内腔部３０ａと耳管４０の内腔部４０ａで形成されている空気伝達経路の途中に介装されており、そのケーシング２０正面側で外部に露出している端面のツマミ２１ｂを外部から回すことで、これを回動操作できるようになっている。
【００２６】
即ち、ツマミ２１ｂを摘んで回動させることで、スイッチ体２１の連通孔２１ａの中心線がその上下側の空気伝達経路の中心線に一致して空気伝達経路を総て連通させる角度位置と、その空気伝達経路の途中をスイッチ体２１の外周面で塞いで遮断する角度位置との間で切り替え操作できるようになっており、電子的な聴診を実施可能な状態において、通常時に使用する空気伝達経路の途中が遮断されるものとされ、この点が本実施の形態における特徴部分となっている。
【００２７】
そのスイッチ体２１の外周面所定位置には、再生手段であるスピーカ２００が出力面を外側にして埋設されており、電子的な聴診を実施可能な状態では、空気伝達経路の耳管４０側に連通する連結管４４の開口端にその出力面が一致して、このスピーカ２００からイヤーピース５０ａ，５０ｂに至る空気伝達経路が連通した状態となり、配線３１で送信された電気信号をスピーカ２００で聴診音に再生しながら、これを耳管４０・イヤーピース５０ａ，５０ｂを介して使用者が聴けるようになっている。
【００２８】
このスイッチ体２１は、外部に露出したツマミ２１ｂを回して操作するＯＮ／ＯＦスイッチも兼ねており、図２（Ａ）に示すように連通孔２１ａが縦向きの場合はツマミ２１ｂも縦向きであり、この状態で電子聴診器１Ａの電源がＯＦＦであるとともにチェストピース１０からイヤーピース５０ａ，５０ｂに至る空気伝達経路が総て連通していることから、通常の聴診が行える状態となっている。
【００２９】
そして、図２（Ｂ）に示すように、ツマミ２１ｂを回してスイッチ体２１の連通孔２１ａが横向き且つスピーカ２００が上向きの状態にした場合は、電子聴診器１Ａの電源がＯＮになるとともに空気伝達経路がスピーカ２００の手前側（下方）で遮断されるため、通常の聴診音が耳管４０側に混入しない状態にてスピーカ２００の再生による電子的な聴診を実施可能な状態となる。
【００３０】
さらに、図２（Ｃ）に示すように、図２（Ａ）の状態からツマミ２１ｂを回してスイッチ体２１の連通孔２１ａが横向き且つスピーカ２００が下向きの状態にした場合は、電子聴診器１Ａの電源がＯＮになるとともに聴診音の電気信号を無線送信部品２３で無線信号に変換しながら外部に送信を行うものとなり、無線受信手段を併設した再生手段としてのパソコン、スマートフォン、ワイヤレスヘッドフォン等を用いて、離れた位置で電子的な聴診実施可能な状態となる。
【００３１】
尚、上述したように聴診音を無線送信する場合は、前記再生手段との間の無線的な互換性の観点から、無線送信部品２３で使用する無線方式として、半径１０ｍ程度の範囲内での使用においてはいわゆるＢＬＵＥＴＯＯＴＨ（登録商標）による方式が好適である。また、図２（Ｂ）の電子聴診を実施可能な状態において、所定のスイッチを入れることにより、スピーカ２００を作動させながら聴診音の送信も行える方式としても良い。
【００３２】
さらに、図２（Ｂ），（Ｃ）の状態に共通して、その際に電子聴診器１Ａの作動（及び送信）を開始させる方式のほか、スイッチ体２１をその角度位置にすることで待機状態になるものとして、チェストピース１０の検出面を患者に当てる動作またはチェストピース１０の把持部を摘む動作等で所定のスイッチ手段がＯＮとなって作動を開始する方式としても良く、これにより電力消費量を低減しやすいものとなる。
【００３３】
図３（Ａ）は電子聴診器１Ａで聴診しながら検出した聴診音を電気信号・無線信号に変換して、無線受信手段を併設したパソコン４００、スマートフォン３００、ワイヤレスヘッドフォン５００に送信している状態を示している。この場合、パソコン４００及びスマートフォン３００では、受信した無線信号をリアルタイムで聴診音の波形図に再生しているが、これと同時に聴診音を音声として再生することも可能である。
【００３４】
図３（Ｂ）は上述した電子聴診器１Ａを、マイクロフォン１００を有したチェストピース１０・ゴム管３０・スピーカ２００及びスイッチ体２１による切り替え手段を有したケーシング２０からなる分離体１ａと、耳管４０・イヤーピース５０ａ，５０ｂからなる分離体１ｂの２つの部分に分離した状態を示している。即ち、本実施の形態の電子聴診器１Ａは、耳管４０の先端側から垂設した連結管４４をケーシング２０の連結孔２７との間で挿脱操作することで着脱可能とされており、この点も本実施の形態の特徴部分となっている。
【００３５】
このようにして分離したチェストピース１０・ゴム管３０・ケーシング２０からなる分離体１ａは、図４（Ａ）に示すようなアーチ状の弾性部材からなり患者の身体にチェストピース１０を装着させるためのアーチ体７と組み合わせて使用することができる。このアーチ体７は、樹脂を馬蹄形に成形しながらその外周面に沿って溝７１を形成するとともに、その一端側からチェストピース１０の把持部を挿通してこれに固定するための固定用スリット７２を溝７１の底面に形成してなるものである。
【００３６】
そして、図４（Ｂ）に示すように、チェストピース１０をその検出面が内周側に向くように固定用スリット７２にその把持部側を挿通・固定しながらゴム管３０を溝７１に沿うように挿入することで、分離体１ａをアーチ体７に連結し、これをチェストピース１０の検出面が聴診位置に一致する位置にてその内周側で患者の身体を挟み込みながら装着・固定可能なものとなる。
【００３７】
このような構成としたことにより、患者に装着してある分離体１ａから離れた位置にあるパソコン４００、スマートフォン３００、ワイヤレスヘッドフォン５００に対し、検出した聴診音のデータをリアルタイムで送信することができ、また、分離体１ａから分離された耳管４０・イヤーピース５０ａ，５０ｂからなる分離体１ｂにおける連結体４４の開口部に、ワイヤレスイヤフォン６００の耳挿入部を嵌挿して接続することで、この分離体１ｂでも送信された聴診音を聴くことができる。
【００３８】
したがって、電子聴診器１Ａを用いて電子的な聴診を実施する際には、その使用者が両手の自由が確保されるため、診療に必要な他の作業を同時に行いやすくなり、或いはチェストピース１０を患者の身体に支持しておくための人手を要さない点において利便性に優れている。また、前述した状態で各種再生手段に送信することにより、患者から離れた位置でも聴診が行えるとともに、複数の者が同時に聴診に参加したり、モニターを用いて疾患モデルの聴診音やその波形、或いは過去に記録した同じ患者の聴診音やその波形と比較したりすることも可能なものとなる。尚、比較的通信距離の短いＢＬＵＥＴＯＯＴＨ（登録商標）による端末同士の通信方式をインターネット回線経由の通信方式で繋ぐことにより、遠く離れた位置から聴診行うことも可能なものとなる。
【００３９】
図５（Ａ）は、本発明における第２の実施の形態である電子聴診器１Ｂの正面図を示し、図５（Ｂ）はその側面図を示している。この実施の形態では、その耳管５１がアーチ状とされ、イヤーピース５１ａ，５１ｂがクローズ型ヘッドフォン状とされて、これらでオーバーヘッド式のヘッドフォン部５０を構成しており、チェストピース１０・ゴム管６２・送信機６４からなる部分が、前記アーチ状の耳管５１の外周側に内周側を密着する弾性素材からなるアーチ体６１の外周側に固定されて、チェストピース１０を患者に装着・固定するための装着部６０を構成している点を特徴としている。
【００４０】
また、本実施の形態においては、ゴム管６２がコイル状に形成されてその長さが弾性的に伸縮可能とされていることに加え、アーチ体６１の外周側に配置した送信機６４には、聴診音を電気信号に変換する変換手段であるマイクロフォン６４ａが内装されているとともに、これによる電気信号を無線信号に変換して送信する無線送信部品６４ｂが内装されている。
【００４１】
即ち、電子的な聴診を実施する際には、ゴム管６２の基端側を送信機６４の側面に開口した接続口６４ｃに嵌入して接続するものとして、チェストピース１０で検出した聴診音を、ゴム管６２による空気伝達経路で通信機６４内に送り、マイクロフォン６４ａで電気信号に変換しながら無線送信部品６４ｂで無線信号にして送信するようになっている。
【００４２】
また、この電子聴診器１Ｂにおいては、イヤーピース５１ａ，５１ｂがイヤーカップとイヤーパッドを有したクローズ型ヘッドフォン状とされており、前述した電子聴診器１Ａにおける挿入式のイヤーピース５０ａ，５０ｂと比べて、外部の雑音が侵入しにくいことに加え、その耳に触れる部分を介した使用者間の感染を招きにくいものとしている。
【００４３】
さらに、図５（Ｂ）、図６（Ｂ）に示すようにこのイヤーピース５１ａ，５１ｂには、再生手段としてのスピーカ５１０、無線受信手段としての無線受信部品５２０が各々内装されており、耳管５１の内腔部５１１による空気伝達経路を介した通常の聴診音のほか、無線通信を介した電子的な聴診音を聴けるようになっている点を特徴としている。
【００４４】
そして、上述したヘッドフォン部５０と装着部６０は、図６（Ａ），（Ｂ）に示すように、互いに分離可能で着脱操作が可能とされている。その装着部６０は、分離した状態で弾性素材からなるアーチ体６１の一端から上向きに形成したスリット６１１ａに、チェストピース１０がその把持部を挿通されてアーチ体６１の内周側でその検出面が内側に向くように掛止・固定されている。
【００４５】
そのアーチ体６１は、図７（Ａ）に示すように、２つの弧状部材６１ａ，６１ｂが軸６０ａで軸着されて図示しないバネで互いに内側に屈曲するように付勢されてなるものであり、その内周側で患者の身体を挟み込むように動作しながら様々な体の厚さに対応可能なものとなっている。また、その弧状部材６１ｂは、さらに鞘状部６１０とこれに挿入されて伸縮動作する伸縮部６１１からなり、伸縮部６１１の先端側で掛止されたチェストピース１０の患者に対する固定位置が、伸縮により適宜調整できるようになっている。
【００４６】
この電子聴診器１Ｂを使用する場合は、図６に示したようにヘッドフォン部５０と装着部６０に分離する動作等により、図示しないスイッチが入って各々ＯＮまたは待機状態となり、図８に示すように装着部６０をそのチェストピース１０が患者の目的位置（集音箇所）に一致する位置にてその内周側で挟み込むことで装着され、チェストピース１０をその位置で保持する人員を要することなく、患者の身体から聴診音を検出して送信を開始する。
【００４７】
これにより、分離したヘッドフォン部５０を受信手段及び再生手段として用いることで、装着部６０から離れた位置でも無線信号を受信しながら電子的な聴診を実施可能な状態になる。また、前述した第１の実施の形態と同様に、無線受信手段を併設した再生手段としてのパソコン４００やスマートフォン３００等を用いて聴診音を波形図や音声にして再生しながら、電子的な聴診を実施することもできる。
【００４８】
このように本実施の形態では、装着具としてのアーチ体６１がチェストピース１０・ゴム管６２・送信機６４と一体化するため、これを保持するための人員を要することなく、患者に対しチェストピース１０を容易に装着・固定しながら聴診を実施させることができる。また、この装着具として機能する装着部６０が聴診音を聴くためのヘッドフォン部５０と一体化し、オーバーヘッド式ヘッドフォン状の１つの器具としてコンパクトに収まることから、電子聴診器とは別に装着具を用意して携行する必要もなくなる。
【００４９】
図９は、上述した電子聴診器１Ｂを通常の聴診器として使用可能な状態にした場合を示している。図６に示したように、装着部６０とヘッドフォン部５０の２つに分離してから、装着部６０のゴム管６２をチェストピース１０とともに送信機６４から取り外し、ゴム管６２の先端側をヘッドフォン部５０の内腔部５１１（図６（Ｂ）参照）に連通している接続口５１ｃに挿入・接続することにより、チェストピース１０からゴム管６２・耳管５１を介してイヤーピース５１ａ，５１ｂに至る空気伝達経路が連通して、通常の聴診を実施可能な状態となる。
【００５０】
図１０（Ａ）は、図５の電子聴診器１Ｂの応用例としての電子聴診器１Ｃを示しており、電子聴診器１Ａの送信機６４から無線送信部品６４ｂを省略したものとして、接続ボックス６５に内装したマイクロフォン６４ａで聴診音を電気信号に変換しながら、その嵌装部６５ａに嵌装した送信手段としてのスマートフォン３００に図示しない接続手段を介して入力するとともに、その送信機能を利用して外部に送信させる方式としたものである。
【００５１】
一方、図１０（Ｂ）は、さらにその応用例としての電子聴診器１Ｄを示しており、前述の電子聴診器１Ｃからさらにマイクロフォン６４ａを省略して、接続ボックス６６の嵌装部６６ａに設けた接続口６６ｂに、ゴム管６２の先端側を挿入・接続しながら、スマートフォン３００内装のマイクロフォンに対し聴診音を直接的に入力しながら、その送信機能を利用して送信させる方式としたものである。尚、これらの応用例においては、スマートフォン３００で他の再生手段に送信させることのみならず、そのディスプレイに聴診音の波形図を表示したり、そのスピーカで聴診音を再生したりすることもできる。
【００５２】
図１１（Ａ），（Ｂ）は、上述した総ての実施の形態に共通してそのチェストピース及びこれに接続したゴム管の応用例としての縦断面図を示している。図１１（Ａ）は、上述したチェストピース１０と同様に検出面がダイヤフラム１０ｂを貼設した１面のみのチェストピース１０Ｂであるが、その配線３２がゴム管６３の内腔部６３ａを通ってその基端側で端子部品６６から突設したジャック６６ａに接続されている。一方、図１１（Ｂ）は、高音用のダイヤフラム１０ｃによる検出面のほか、低音用のベル１０ｄによる検出面を備えたチェストピース１０Ｃが、回転接続部１０ｅで回動可能に軸支されている点で図１１（Ａ）と異なっている。
【００５３】
また、いずれも内部に変換手段としてのマイクロフォン１００，１１０を備えて、これから延びた配線３２がゴム管６３の基端側まで配設されており、且つ、作動中に点灯するＬＥＤ１２０，１２５を内装しているが、これらで通常の聴診に使用する空気伝達経路の連通状態を悪化させたりその着脱操作を妨げたりしない構成とされ、且つ、空気伝達経路及び電気伝達経路の着脱作業の容易化をも実現したものとなっている。
【００５４】
図１２（Ａ）は、電子聴診器１Ｂ，１Ｃ，１Ｄに共通したヘッドフォン部の応用例としてのヘッドフォン部５０Ｂを示しており、その耳管５１Ｂの外周面には消毒用のアルコールを浸潤した状態で保持する不織布等による浸潤面５１５が形成されており、装着部６０をこれに連結することでその内周側が患者に触れる部分に浸潤面５１５で接して消毒される点を特徴としており、また、チェストピース１０の検出面が触れる位置にも浸潤面５１５が延長して設けられている。
【００５５】
これにより、ヘッドフォン部５０の外周側に設けた浸潤面５１５にアルコールを浸潤させておけば、装着部６０をヘッドフォン部５０に装着するだけでその患者に触れる内周面側に浸潤面５１５のアルコールが触れて消毒されることから、装着部６０を消毒する手間を大幅に削減することができる。また、図６（Ｂ）のように装着部６０を外した状態において、浸潤面５１５のアルコールが蒸発してしまうのを防止するために、その外面側開口部を覆う樹脂製のカバー体５２５を装着する方式としても良い。
【００５６】
次に、上述した本発明による電子聴診器の特徴部分である、通常の聴診と電子的な聴診の切り替え機能・分離機能・送信機能等を活用した新たな使用方法について説明する。先ず、送信先のスマートフォンやパソコンのディスプレイ機能・記憶機能を利用することにより、聴診音を波形図にして表示することのみならず、これを患者毎に毎回記録し、聴診時に過去のデータを呼び出しながらディスプレイ上で現在の聴診音と並べて表示したり、交互に音声を出力させたりして比較することができ、異なる時期の聴診音との比較により状態の変化を認識しやすいものとなる。
【００５７】
また、送信先のスマートフォンやパソコンの記憶手段に、症例別の聴診音のサンプルデータを予め記憶させておき、これと現在の患者聴診音とを並べて表示したり交互に音声を出力させたりすることにより、経験が乏しい使用者でも比較的容易に診断を行えるものとなる。さらに、その比較・解析を自動的に行いながら診断する自動診断用のソフトウエアを送信先のスマートフォンやパソコンにインストールしておき、簡易に自動診断を行えるようにしても良い。
【００５８】
さらにまた、上述した電子聴診器を血圧測定時に使用する場合は、検出したコロトコフ音を送信先のスマートフォンやパソコンに送信しながら、専用のソフトウエアを用いてこれを自動解析させ、最高血圧・最低血圧のタイミングで補助音を出したり、過去の血圧測定で記憶したデータと比較して血圧値の経過状況や血管の劣化状況等の判定に使用させたりすることもできる。
【００５９】
加えて、臨床現場において医師が手を離せなかったりその場を離れられなかったりする場合や、診断に疑問が生じた場合等においても、本発明の電子聴診器を使用しながらリアルタイムのバックアップサポートを実施することも可能である。例えば、２つに分離した装着部６０，６０Ｂ，６０Ｃの機能を利用して、これを看護師等が患者の身体に装着した状態としながら、前述した送信機能を用いることで医師に対し遠隔的に診断を仰ぐこともできる。また、例えば在宅医療の場合に、自宅で前述した装着部を被験者自身が装着し、検出データを近くのパソコンに送信しながらインターネット回線を介して専属の医療機関にリアルタイム又は後日に送信することで、高い診療レベルを確保しやすいものとなる。
【００６０】
また加えて、上述した送信機能及びこれによるパソコンの表示機能は、医局等における複数のスタッフ間で査閲を行ったり、学生や看護師の教育にも使用したりすることにも適している。或いは、企業の集団検診や学童検診等においても、各聴診音をパソコン等に送信して表示させながら自動解析させることにより、大量の被験者を短時間で診断することも可能となる。尚、これらのデータをパソコンの記憶手段に適宜分類して記録しておけば、後に様々な目的に活用することも可能である。
【００６１】
以上、述べたように、電子聴診器について、本発明により通常の聴診と電子的な聴診の両方で実用的な使用を可能としながら、一層利便性に優れたものとすることができた。
【符号の説明】
【００６２】
１Ａ，１Ｂ，１Ｃ，１Ｄ  電子聴診器、７，６１  アーチ体、１０，１０Ｂ，１０Ｃ  チェストピース、２１  スイッチ体、２１ａ  連通孔、２１ｂ  ツマミ、２３，６４ｂ  無線送信部品、３０，６２，６３  ゴム管、３０ａ，６３ａ，５１１  内腔部、３１，３２  配線、４０，５１  耳管、５０  ヘッドフォン部、５０ａ，５０ｂ，５１ａ，５１ｂ  イヤーピース、５１ｃ，６４ｃ  接続口、６０，６１，６２  装着部、６４  送信機、６４ａ，１００，１１０  マイクロフォン、３００  スマートフォン、４００  パソコン、５００  ワイヤレスヘッドフォン、５１０  スピーカ、６００  ワイヤレスイヤフォン
【図１】
2015006232.tif 000003
【図２】
2015006232.tif 000004
【図３】
2015006232.tif 000005
【図４】
2015006232.tif 000006
【図５】
2015006232.tif 000007
【図６】
2015006232.tif 000008
【図７】
2015006232.tif 000009
【図８】
2015006232.tif 000010
【図９】
2015006232.tif 000011
【図１０】
2015006232.tif 000012
【図１１】
2015006232.tif 000013
【図１２】
2015006232.tif 000014